(57)【特許請求の範囲】
【請求項１】
駆動歯車装置（８４）と被駆動歯車装置（７０，７６）との噛合っている歯（８６，７２）の周方向分離を防止する装置において、この装置に、駆動及び被駆動の歯車装置（８４）（７０，７６）のうちの一方の歯車装置（８４）と噛合う歯（９４）を有する第１歯車（９２）が備えられ、この第１歯車（９２）が第１軸線を中心として第１方向に回転可能であり、更に、第１歯車（９２）と同軸の第２歯車（１０８）が備えられ、この第２歯車（１０８）が、前記第１軸を中心として前記第１方向に回転可能であり、かつまた前記第１軸を中心として、前記第１歯車（９２）に対して前記第１方向と反対の第２方向に回転可能であり、更にまた、歯（１３４）を有する第３歯車（１３６）が備えられており、この歯（１３４）が、駆動及び被駆動の歯車装置（８４）（７０，７６）のうちの他方の歯車装置（７０，７６）の歯（７８）と、前記第２歯車（１０８）の歯（１３２）とに噛合っており、前記第３歯車（１３６）が第２軸を中心として前記第２方向に回転可能であり、更にまた、前記第１及び第２の歯車に予圧を与えて互いに逆方向に相対回転させる装置が備えられていることを特徴とする、駆動歯車装置と被駆動歯車装置との噛合っている歯の周方向分離を防止する装置。
【請求項２】
前記予圧装置が前記第１及び第２の歯車（９２，１０８）間に作用するトーションばね（１２２）を有することを特徴とする、請求項１記載の装置。
【請求項３】
前記予圧装置により前記第１及び第２の歯車（９２，１０８）に加えられる力を調節するために、前記予圧装置を調節する装置が備えられていることを特徴とする、請求項２記載の装置。
【請求項４】
前記第１軸線を中心として回転するように支持された軸（９６）が備えられ、前記第１歯車（９２）が前記軸（９６）に取付けられており、前記第２歯車（１０８）が、前記軸（９６）に支持されて、前記軸（９６）と前記第１歯車（９２）とに対し回転するようにされており、前記トーションばね（１２２）が、前記軸（９６）を取囲むコイルを有しており、このトーションばね（１２２）の一端が前記軸（９６）に結合され、他端が前記第２歯車（１０８）に結合されていることを特徴とする、請求項３記載の装置。
【請求項５】
印刷機において、ブランケット胴の軸線を中心として第１方向に回転可能のブランケット胴（１６）と、前記ブランケット胴（１６）と同軸的な、かつまた同ブランケット胴（１６）とともに回転可能なブランケット胴歯車装置（８４）と、版胴軸線を中心として、第１方向と反対の第２方向に回転可能な版胴（１４）と、前記版胴（１４）と同軸的な、かつまた版胴（１４）と共に回転可能な版胴歯車装置（７０，７６）とが備えられ、前記版胴歯車装置（７０，７６）が、前記ブランケット胴歯車装置（８４）の歯と噛合う歯（７２）を有しており、更に、前記歯車装置（８４）（７０，７６）の前記歯（８６，７２）の周方向分離を防止する装置が備えられており、この分離防止装置が、第１歯車（９２）と、第２歯車（１０８）と、第３歯車（１３６）と、前記第１及び第２の歯車（９２，１０８）に予圧を与えて互いに逆方向に相対回転させる装置とを有し、前記第１歯車（９２）の歯（９４）が前記歯車装置（８４）（７０，７６）の一方の歯車装置（８４）の歯と噛合っており、前記第１歯車（９２）が第１歯車軸線を中心として、前記歯車装置（８４）（７０，７６）の前記一方の歯車装置（８４）の回転方向とは反対の方向に回転可能であり、更に、前記第２歯車（１０８）が、前記第１歯車（９２）と同軸的で、前記第１歯車軸線を中心として前記第１歯車（９２）に対して回転可能であり、更にまた、前記第３歯車（１３６）の歯（１３４）が、前記歯車装置（８４）（７０，７６）の他方の歯車装置（７０，７６）の歯（７８）と、前記第２歯車（１０８）の歯（１３２）とに噛合っており、更に第２歯車軸線を中心として、前記歯車装置（８４）（７０，７６）の前記他方の歯車装置（７０，７６）の回転方向とは反対の方向に回転可能であることを特徴とする印刷機。
【請求項６】
前記予圧装置を調節する装置が備えられ、それにより前記予圧装置が前記第１及び第２の歯車（９２，１０８）に加える力が調節されることを特徴とする、請求項５記載の印刷機。
【請求項７】
前記ブランケット胴歯車装置（８４）の前記歯（８６）と、前記版胴歯車装置（７０，７６）の前記歯（７２）とが、はすばであることを特徴とする、請求項５記載の印刷機。
【発明の詳細な説明】
【０００１】
【産業上の利用分野】
本発明は、駆動歯車と被駆動歯車との、噛合っている歯の周方向分離を防止する装置に関するものである。より具体的に言えば、本発明は、印刷機のブランケット胴に接続された駆動歯車と、版胴に接続された被駆動歯車との、噛合っている歯の周方向分離を防止する装置に関するものである。
【０００２】
【従来の技術】
駆動歯車と被駆動歯車と間で噛合っている歯は、歯車が極めて高速で回転するさいには、周方向に分離する傾向がある。印刷機の場合、ブランケット胴に固定されている駆動歯車の歯は、組合わされている版胴に固定されている被駆動歯車の歯から、胴の高速回転時に、周方向に分離する傾向がある。印刷機の歯車の歯のような周方向分離は、往々にして印刷物に欠陥を生じさせる。
【０００３】
【発明が解決しようとする課題】
本発明の課題は、胴の高速回転時にこのように駆動歯車と被駆動歯車との歯に生じる周方向分離を防止する装置を提供することにある。
【０００４】
【課題を解決するための手段】
本発明による装置は、第１軸線を中心として第１方向に回転可能の駆動歯車装置と、第２軸線を中心として第１方向とは反対の第２方向に、駆動歯車装置によって回転せしめられる被駆動歯車装置との、噛合っている歯の周方向分離を防止する。本装置は、駆動歯車装置に第１の周方向力を加える手段を有している。この第１の周方向力は駆動歯車装置を第１方向へ強制回転させる。本装置は、更に、被駆動歯車装置に第２の周方向力を加える手段を有している。この第２周方向力は、第２方向とは反対の方向に被駆動歯車装置を強制回転させる。第２周方向力のマグニチュードにより被駆動歯車装置に加えられる正味トルクは、第１周方向力のマグニチュードにより駆動歯車装置に加えられる正味トルクに等しい。
【０００５】
本発明による装置は、駆動歯車装置の歯と、被駆動歯車装置の歯とが互いに噛合う状態に維持し、しかもそのさい双方の歯車装置を回転させるために必要とされるトルクの値を増大させることがない。所要トルクの値を増大させないのは、駆動、被駆動双方の歯車装置に加えられる個別周方向トルクが等しく、かつ逆方向だからである。したがって、加えられる双方の周方向は、どちらかの歯車装置に正味荷重を負荷することがない。
【０００６】
本発明の有利な一実施例によれば、駆動歯車装置は、印刷機のブランケット胴に接続される歯車装置を有している。被駆動歯車装置は、印刷機内でブランケット胴に隣接する版胴に接続される歯車装置を有している。ブランケット胴歯車装置と版胴歯車装置とに周方向力を加える手段は、トーションばねと、力を伝達する複数の歯車を有している。トーションばねは、その軸線を中心として反対方向に等しい力を作用させる。力伝達歯車は、ブランケット胴歯車装置と版胴歯車装置とに対し、等しい力を反対方向に伝達する。力伝達歯車を介してトーションばねからブランケット胴歯車装置に伝えられる力は、力伝達歯車を介してトーションばねから版胴歯車装置に伝えられる力と等しく、かつ反対方向である。この結果、ブランケット胴歯車装置又は版胴歯車装置にトーションばねを介して正味荷重が作用することはない。
【０００７】
【実施例】
本発明の前記及びその他の特徴は、添付図面を参照しての以下の説明により、当業者には明らかとなるのであろう。
【０００８】
図１には、本発明により構成された印刷ユニット１０が示されている。図示の印刷ユニット１０は、ウエブ１２の両面印刷用のオフセット石版印刷ユニットである。印刷ユニット１０は、ウエブ１２上方に、上方版胴１４と上方ブランケット胴１６とを有し、ウエブ１２の下方に、下方版胴１８と下方ブランケット胴２０とを有している。胴１４〜２０は、回転するために側壁対２２を有するフレームにより支持されている。図１には他壁対２２の片方の側壁が示されている。
【０００９】
モータ２４は、図１の矢印２６の方向に上方ブランケット胴１６を回転させる歯車トレーン（図示せず）を駆動する。この歯車トレーンは、上方版胴１４を矢印２８の方向に回転させる。また、この歯車トレーンは矢印３０の方向に下方ブランケット胴２０を回転させ、かつ矢印３２の方向に下方版胴を回転させる。
【００１０】
上方版胴１４は、印刷される画像を有する版３４を保持している。版３４は、金属の薄板として形成され、上方版胴１４の周囲に巻付けることで版胴１４に取付けられている。版３４は、上方版胴１４のロック機構３６により版胴１４上に固定保持されている。上方ブランケット胴１６はブランケット３８を有している。ブランケット３８は管として構成され、この管が、ブランケット胴１６に入れ子式に滑りばめされることにより取付けられる。別の管状ブランケット４０も、同じように下方ブランケット胴２０に取付けられ、別の版４２はロック機構４４により下方版胴１８に保持されている。
【００１１】
胴１４〜２０がモータ２４と歯車トレーンとにより回転せしめられると、インキが版３４，４２の双方に供給され、版３４，４２上にインキ画像が形成される。上方の版３４のインキ画像は、上方のブランケット３８に版胴１４とブランケット胴１６との間のニップ４６のところで転写される。上方ブランケット３８は、次いでこのインキ画像を、上方及び下方のブランケット胴１６，２０間のニップ４８のところでウエブ１２の上面に転写する。下方の版４２は、そのインキ画像を、下方版胴１８と下方ブランケット胴２０との間のニップ５０のところで、下方ブランケット４０にインキ画像を転写する。下方ブランケット４０は、次に、このインキ画像をニップ４８のところでウエブ１２の下面に転写する。印刷ユニット１０は、かくしてウエブ１２の両面に同時に印刷する。
【００１２】
上方版胴１４は軸５４を有し、この軸がフレームの側壁２２内へ延び、上方版胴１４を保持し、フレームに対し回転させる。上方ブランケット胴１６は軸５６を有し、この軸５６がフレーム側壁２２内へ延び、ブランケット胴１６を保持し、フレームに対し回転させる。下方版胴１８は軸６０を有し、下方ブランケット胴２０は軸５８を有している。軸５８，６０はフレーム側壁２２内へ延び、胴１８，２０を保持し、フレームに対し回転させる。印刷胴１４，１６，１８，２０のそれぞれも、両端に軸を有し、これらの軸も同じように側壁２２内へ延び、各胴を保持し、フレームに対し回転させる。
【００１３】
図２及び図３に示されているように、歯７２を有する版胴歯車７０が上方版胴１４の軸５４にキー７４により取付けられている。歯７８を有する歯車７６は、キー８０により軸５４に固定取付けされている。歯車７０，７６は、軸５４と同軸的であり、軸５４と共に回転する。歯８６を有するブランケット胴歯車８４は、キー８８により上方ブランケット胴１６の軸５６に固定取付けされている。ブランケット胴歯車８４の歯８６は、図３に略示されているように、版胴歯車７０の歯７２と噛合っている。
【００１４】
本発明の有利な実施例によれば、版胴歯車７０の歯７２と、ブランケット胴歯車８４の歯８６とは、はす歯であり、印刷ユニット１０は、更に、公知の構成の見当調節機構（図示せず）を有している。この見当調節機構により、キー７４に沿って版胴歯車７０は軸方向に移動せしめられる。歯７２ははす歯形状を有するため、版胴歯車７０がキー７４に沿って移動すると、ブランケット胴歯車８４に対して版胴歯車７０と軸５４とを回転させる。見当調節機構は、したがって上方の版３４から転写される画像の周方向の見当を調節する。
【００１５】
歯車９２の歯９４はブランケット胴歯車８４の歯８６と噛合っている。歯車９２はキー９８により軸９６（図２）に固定取付けされている。軸９６は、図２に略示されているように、軸受１００，１１２により回転可能に支承され、フレーム１０４に対して回転する。フレーム１０４は、公知の手段により印刷ユニット１０のフレームの側壁２２に固定結合されている。
【００１６】
歯車１０８は、軸９６に取付けられ、軸９６と歯車９５とに対して回転する。軸９６は、歯車１０８の、軸方向に延びる円筒形部１１０を貫通して延びている。図２に略示されている軸受１１２は、歯車１０８を支承し、フレーム１０４に対して回転する。
【００１７】
カラー１１６は、歯車１０８の円筒形部１１０の外端に隣接する軸９６のところにクランプされている。軸９６に対するカラー１１６のクランプには、ねじ１１８が用いられており、カラー１１６が軸９６と一緒に回転するようにされている。トーションばね１２２の他端はカラー１２６に結合されている。カラー１２６は、キー１２８により歯車１０８の円筒形部１１０に固定結合されている。トーションばね１２２は、歯車９２，１０８に予圧を与え、軸９６の軸線を中心として逆方向に回転させる。したがって、歯車９２と歯車１０８を相対回転させるように予圧を与えるわけである。
【００１８】
歯車９２と１０８に予圧を与えて相対回転させるトーションばね１２２の力のマグニチュードは調節可能である。調節は、先ずねじ１１８を回し、カラー１１６を軸９６から弛めることにより行なわれる。弛めることで、歯車９２をトーションばね１２２に結合させているカラー１１６を軸９６上で回動させることができる。歯車１０８に結合されているカラー１２６に対してカラー１１６を回動させることにより、トーションばね１２２の予圧力を調節できる。所望予圧力が得られれば、再びカラー１１６を、ねじ１１８によって軸９６に締付ける。
【００１９】
歯車１０８の歯１３２は、歯車１３６の歯１３４と噛合っている。歯車１３６は、キー１４０により軸１３８に固定取付けされている。軸１３８は、図２に略示されているように、軸受１４２，１４４により支承され、フレーム１０４に対して回動する。軸１３８にはナット１４８がねじ付けられている。ナット１４８と止め輪１５０とが、軸１３８をフレーム１０４に固定している。歯車１３６の歯１３４は、版胴１４の軸５４上の歯車７６の歯７８と噛合っている。
【００２０】
フレーム１０４は、軸受１４２，１００を保持する第１端部１５６を有している。フレーム１０４の中央部１５８は軸受１１２，１４４を支持している。更に、フレー１０４の第２端部１６２は、軸受１１２，１４４を保持し、適当な手段、たとえばボルトにより中央部１５８及び第１端部１５６に固定されている。
【００２１】
モータ２４と駆動トレーンとが、ブランケット胴歯車８４を駆動し、図３に示されたように、矢印２６の方向に回転させる。歯車８６の歯８６は、版胴歯車７０の歯７２と噛合い、矢印２８の方向に歯車７０を回転させる。ブランケット胴歯車８４の歯８６も、歯車９０の歯９４と噛合い、矢印１７０の方向に歯車９２と１０８を回転させる。歯車１０８の歯１３２と歯車７６の歯７８とは、歯車１３６の歯１３４と噛合い、矢印１７２の方向に歯車１３６を回転させる。
【００２２】
トーションばね１２２は歯車９２と１０８とに力を加え、この力が、歯車９２に予圧を与え、矢印１７０の方向で歯車１０８に対して回転させ、また、歯車１０８に予圧を与え、矢印１７０とは反対の方向に歯車９２に対して回転させる。したがって歯車９２の歯９４の１つは、矢印Ｆ１で示された周方向力を、ブランケット胴歯車８４の歯８６の１つに作用させる。また、歯車１０８の歯１３２の１つは、歯１３６の歯１３４の１つに、矢印Ｆ２で示された周方向力を作用させる。歯車１３６の歯１３４の別の１つは、歯車７６の歯７８の１つに矢印Ｆ３で示された周方向力を作用させる。
【００２３】
周方向力Ｆ３は、キー８０と、軸５４と、キー７４（図２）とを介して、版胴歯車７０の歯７２の１つに伝えられる。したがって、矢印Ｆ４で示された周方向力は、版胴歯車７０の回転方向２８とは反対の方向に歯車７０に作用する。矢印Ｆ１で示した力に対応する、矢印Ｆ５で示した周方向力は、ブランケット胴歯車８４の回転方向２６で歯車８４に作用する。周方向力Ｆ１〜Ｆ５は等しい。歯車７０に作用する周方向力Ｆ４と、歯車８４に作用する周方向力Ｆ５とにより、歯８６と７２とは相互噛合い状態を維持し、したがって、印刷ユニット１０の高速運転時に版胴歯車７０とブランケット胴歯車８４との分離が防止される。周方向力Ｆ４とＦ５とは等しく、かつ逆方向であるため、歯車７０と歯車８４とに作用する正味トルクは等しく、かつ逆方向である。この結果、歯車７０又は歯車８４に作用する正味荷重は生じることがない。したがって、ブランケット胴歯車８４を回転させるために、この歯車８４に付加的なトルクを作用させる必要はない。
【００２４】
前述のように、見当調節機構は、歯車８４に対して歯車７０を回転させる。これによって、歯車７６、歯車１３６、歯車１０８が、歯車９２とブランケット胴歯車８４とに対して回転せしめられる。一方方向に歯車１０８が歯車９２に対してこのように回転することにより、トーションばね１２２が巻上げられ、ばね１２２が締上げられる。また、歯車１０８が歯車９２に対し反対方向にこのように回転すると、トーションばね１２２は巻戻され、ばね１２２は弛められる。本発明の独自の特徴によれば、トーションばね１２２には予圧が与えられ、見当調節接機構の動作に適応できるように、巻上げられた状態で種々変化を受ける十分な能力を有するようにされている。更に、トーションばね１２２には、歯車９２と１０８とに、（既述のように）等しい、逆方向の力が作用するように、予圧が与えられている。この力は、所定の最低マグニチュードを越えた値に維持されるようにし、有利には所定マグニチュード域以内に維持されるようにする。この値は、見当調節機構の操作の結果として生じる、ばねの巻上げられた状態でのどのような変化のさいにも維持されるようにする。有利には、トーションばね１２２には、１００〜１４０フィートポンドの範囲内の力が維持されるように、予圧を与えておく。
【００２５】
版胴歯車７０は、上方版胴１４と下方ブランケット胴１６とが、周知のように胴逃し時に半径方向に互いに離れるさいに、ブランケット胴歯車８４に対して回転する。トーションばね１２２は、また、歯車７０と歯車８４とのそのような相対回転を同調させ、見当調節機構に関して先述したのと同じ形式で所定範囲のマグニチュード以内に、関連する力を維持する。
【００２６】
本発明の有利な実施例では、歯車９２はブランケット胴歯車８４と噛合い、歯車１３６は、歯車７６を介して版胴歯車７０と効果的に噛合っているが、歯車９２と１０８とは、歯車１３６と置換えることができ、そうすることにょって歯車９２が、歯車７６を介して歯車７０と噛合い、歯車１３６が歯車８４と噛合うようにすることもできる。更に、歯車９２，１０８，１３６に似た歯車を、上下ブランケット胴１６，２０に隣接して、及び又は下方のブランケット胴２０と版胴１８に隣接して配置することができる。
【００２７】
本発明の以上の説明から、当業者であれば、改良、変更、改変が可能であろう。そのような改良、変更、改変は、添付特許請求の範囲にすべて包含されるものとする。
【図面の簡単な説明】
【図１】本発明により構成された印刷機の略示図。
【図２】図１の印刷機の部材の略示断面図。
【図３】図２の印刷機の部材の略示側面図。
【符号の説明】
１０    印刷ユニット
１２    ウエブ
１４    上方版胴
１６    上方ブランケット胴
１８    下方版胴
２０    下方ブランケット胴
２２    側壁
２４    モータ
３４，４２    版
３６    ロック機構
３８，４０    ブランケット
４８    ニップ
５６，５８，６０，９６，１３８  軸
７０    版胴歯車
７４，１４０    キー
８４    ブランケット胴歯車
１００，１１２    軸受
１０４    フレーム
１１６，１２６    カラー
１１８    ねじ
１２２  トーションばね
１２８    キー
１４２，１４４    軸受
１５６    端部分
【図１】
0003553117.tif 000002
【図２】
0003553117.tif 000003
【図３】
0003553117.tif 000004